(57)【要約】【課題】透かし情報の検出の確実さと音質の劣化のバランスを取って音に透かし情報を重畳させる。【解決手段】符号化装置１００は、調整音をスピーカ５００に放音させ、これを収音したマイクロホン６００の収音結果に基づいて、透かし情報の重畳の態様を決定する調整値を算出する。調整値は分析部１４０が算出し、これを重畳部１３０が用いて音情報に透かし情報を重畳する。重畳部１３０は、音情報に対して、復号が容易になるように重畳の態様を調整した上で透かし情報を重畳する。具体的には、調整部４４０は、音情報が表す音の音圧レベルや透かし情報を重畳する周波数帯域などを調整する。【選択図】図１
2010085737.tif 000002
【特許請求の範囲】
【請求項１】
ある態様により音情報に透かし情報を重畳する重畳手段と、
放音手段により放音された音を収音して得られる当該放音手段により放音される音の特性を示す特性情報を取得する取得手段と、
前記取得手段により取得された特性情報に応じて前記重畳手段による重畳の態様を決定する決定手段と、
前記決定手段が決定した態様により前記重畳手段が透かし情報を重畳した音情報を前記放音手段に供給されるように出力する出力手段と
を備えることを特徴とする符号化装置。
【請求項２】
前記取得手段が、前記放音手段により放音された音を収音する収音手段が収音した音を表す情報又は当該音から前記透かし情報を復号した復号結果を、前記特性情報として取得する
ことを特徴とする請求項１に記載の符号化装置。
【請求項３】
請求項１又は２に記載の符号化装置及び放音手段を備える送信機と、
請求項２に記載の収音手段と、当該収音手段により収音された音から前記透かし情報を復号する復号手段とを備える受信機と
を備えることを特徴とする情報通信システム。
【発明の詳細な説明】
【技術分野】
【０００１】
本発明は、音に透かし情報を重畳する技術に関する。
【背景技術】
【０００２】
電子透かしの技術によって付加される透かし情報の検出をより確実にするための技術としては、例えば、特許文献１に記載されたものがある。特許文献１には、同じ透かし情報（付加情報）を複数の方式で元の情報（主情報信号）に重畳させる技術が記載されている。
【特許文献１】特開２００２−１０１３９７号公報
【発明の開示】
【発明が解決しようとする課題】
【０００３】
特許文献１に記載の技術は、透かし情報が冗長に付加されるものである。この場合、重畳に冗長さを増せば増すほど、元の情報が劣化する可能性が高まる。
一方、本発明は、透かし情報の検出の確実さと音質の劣化のバランスを取って音に透かし情報を重畳させることを目的とするものである。
【課題を解決するための手段】
【０００４】
本発明に係る符号化装置は、ある態様により音情報に透かし情報を重畳する重畳手段と、放音手段により放音された音を収音して得られる当該放音手段により放音される音の特性を示す特性情報を取得する取得手段と、前記取得手段により取得された特性情報に応じて前記重畳手段による重畳の態様を決定する決定手段と、前記決定手段が決定した態様により前記重畳手段が透かし情報を重畳した音情報を前記放音手段に供給されるように出力する出力手段とを備える構成を有する。
【０００５】
本発明に係る符号化装置は、前記取得手段が、前記放音手段により放音された音を収音する収音手段が収音した音を表す情報又は当該音から前記透かし情報を復号した復号結果を、前記特性情報として取得する構成を採用してもよい。
【０００６】
本発明に係る情報通信システムは、前記符号化装置及び放音手段を備える送信機と、前記収音手段と、当該収音手段により収音された音から前記透かし情報を復号する復号手段とを備える受信機とを備える構成を有する。
【発明の効果】
【０００７】
本発明によれば、透かし情報の検出の確実さと音質の劣化のバランスを取って音に透かし情報を重畳させることが可能である。
【発明を実施するための最良の形態】
【０００８】
［第１実施形態］
図１は、本発明の第１の実施形態である符号化装置の構成を示す図である。符号化装置１００は、図示せぬ取得手段により音情報と透かし情報とを取得し、音情報に透かし情報を重畳させてスピーカ５００に出力するものである。また、符号化装置１００は、スピーカ５００により放音された調整音を収音するマイクロホン６００から収音した音を表す音情報（以下、「収音情報」という。）を取得する取得手段をさらに備え、この収音情報に基づいて重畳の態様を変更する。符号化装置１００は、上記各種の情報を取得する取得手段に加え、コマンド供給部１１０と、調整音発生部１２０と、重畳部１３０と、分析部１４０と、出力部１５０とを備える。
【０００９】
コマンド供給部１１０は、後述する調整処理の契機となるコマンドを発生させ、これを調整音発生部１２０及び分析部１４０に供給する。コマンド供給部１１０は、遠隔操作機器（いわゆるリモコン）による操作に応じてコマンドを発生させてもよいし、決められたタイミング（電源投入時や所定の時間間隔）でコマンドを発生させてもよい。
【００１０】
調整音発生部１２０は、スピーカ５００から調整のために放音される音（調整音）を表す音情報を出力部１５０に供給する。以下においては、調整音を表す音情報のことを「調整音情報」といい、他の音情報と区別する。調整音は、スピーカ５００による音の伝達特性を得るために発される音であり、例えば、周波数が時間に応じて連続的に変化する音（いわゆるスウィープ音）である。
【００１１】
重畳部１３０は、音情報及び透かし情報を取得し、音情報に透かし情報を重畳する処理を行う。透かし情報の重畳方式は、特に限定されないが、例えば、音波を搬送波として用いる変調方式のうち、振幅変調方式や位相変調方式などを適用可能である。振幅変調方式は、特定の周波数帯域の振幅を透かし情報に応じて変調するものであってもよいし、放音される周波数帯域の全体をいくつかの帯域に分割し、分割した帯域のそれぞれに透かし情報に応じた変調を行うものであってもよい。本実施形態の重畳方式は、この後者の振幅変調方式であるとする。
また、重畳部１３０は、分析部１４０から調整値を取得し、この調整値に応じて重畳の態様を決定する。すなわち、重畳部１３０は、本発明における決定手段の一例である。なお、重畳の態様には、あらかじめ決められた標準の態様があるものとする。
【００１２】
分析部１４０は、コマンド供給部１１０により供給されたコマンドの取得を契機として収音情報を取得し、重畳の態様を調整するための調整値を算出する。調整値は、スピーカ５００から放音された音に基づいて算出されるものであり、スピーカ５００から放音された音の特性が反映された情報である。すなわち、調整値は、本発明の特性情報の一例である。
【００１３】
出力部１５０は、供給された音情報又は調整音情報をスピーカ５００に出力する。出力部１５０は、調整処理を行う場合には、調整音情報を出力し、その後、直近に行った調整処理に基づいて調整された態様で重畳が行われた音情報を出力する。なお、出力部１５０は、最終的に音情報がスピーカ５００に供給されるように出力する構成であれば足りる。よって、出力部１５０とスピーカ５００の間には、他の構成要素（増幅器等）が介在していてもよい。
【００１４】
本実施形態の符号化装置１００の構成は、以上のとおりである。本実施形態においては、透かし情報が重畳された音を放音する前に、透かし情報が正確に復号される態様で音が放音されるように、調整処理が行われる。本実施形態の調整処理は、コマンド供給部１１０によるコマンドの発生を契機に実行される処理である。
調整処理において、符号化装置１００は、はじめに調整音をスピーカ５００に放音させる。マイクロホン６００は、この調整音を収音し、収音情報を符号化装置１００の分析部１４０に供給する。
【００１５】
分析部１４０は、取得した収音情報に基づき、調整音の放音及び収音に係る特性を分析し、その分析結果に基づいて調整値を算出する。分析部１４０は、収音情報があらかじめ決められた基準からどの程度相違しているかを特定することにより、調整音の放音及び収音に係る特性を分析する。ここにおいて、基準は、例えば、調整音情報に基づいて決められる。例えば、分析部１４０は、調整音情報を基準とした場合に、収音情報が表す調整音のある周波数帯域の音圧レベルが、他の帯域よりも相対的に小さかったり、あるいは基準のレベルよりも所定以上小さかったりしたときには、当該周波数帯域の音圧レベルが小さいことを表す調整値を算出する。あるいは、分析部１４０は、分析した特性に基づき、重畳部１３０においてどのような調整が必要であるかを指示する調整値を算出してもよい。
【００１６】
また、分析部１４０は、収音情報が表す調整音に含まれる雑音（ノイズ）が少なかったり、あるいは、調整音の音圧レベルが十分に大きかったりしたときには、その旨を表す調整値を算出してもよい。この場合には、基準となる雑音のレベルや、基準となる調整音の音圧レベルが、あらかじめ決められている。
【００１７】
重畳部１３０は、調整値を取得すると、これに応じて重畳の態様を決定する。例えば、重畳部１３０は、ある周波数帯域の音圧レベルが小さいことを表す調整値を取得した場合には、音情報の当該周波数帯域に相当する音圧レベルを標準よりも大きくした上で重畳を行ったり、あるいは、音情報の当該周波数帯域を透かし情報の重畳に用いずに他の帯域を用いたりする。なお、後者のように、情報の重畳に用いる帯域と用いない帯域とを調整値に応じて適応的に制御する場合には、情報が重畳されていることを識別できる情報（例えば、帯域毎の周期的な同期音）を音情報に含めるのが望ましい。
【００１８】
また、重畳部１３０は、収音情報が表す調整音に含まれる雑音が少ないことを表す調整値や、調整音の音圧レベルが十分に大きいことを表す調整値を取得した場合には、音圧レベルを標準よりも小さくした上で重畳を行ってもよい。あるいは、重畳部１３０は、標準となる重畳の態様と比べて音質の劣化がより少ない他の態様が存在する場合には、かかる調整値を取得したときに重畳の態様を標準の態様から当該他の態様に切り替えて重畳を行ってもよい。ここにおいて、他の態様とは、透かし情報の単位時間当たりの情報量を標準の態様よりも多くしたものであってもよい。
【００１９】
以上のようにして調整された態様で透かし情報が重畳された音情報は、スピーカ２００によって音に変換されて放音される。この音は、図示せぬ復号装置において収音され、透かし情報が復号（復調）される。復号装置は、あらかじめ決められた重畳方式に応じた方式で透かし情報を復号する。なお、復号装置が有する収音手段は、上述したマイクロホン６００であってもよい。
【００２０】
以上のとおり、本実施形態の符号化装置１００は、調整音の収音結果に基づいて重畳の態様を決定する。そのため、符号化装置１００は、例えば、スピーカ５００自体の特性や周囲の雑音など、そのときどきの状況に起因した透かし情報の検出や復号を困難にする要因が生じた場合に、その要因が解消されるように重畳の態様を変更することが可能である。また、符号化装置１００は、雑音が少ない場合など、透かし情報の十分に正確な検出が期待できる場合にも、重畳の態様を変更することが可能である。
【００２１】
一般に、音情報においては、透かし情報を検出しやすい重畳の態様ほど、音質が劣化する傾向にある。すなわち、音響透かしにおいて、透かし情報の検出の確実さと音質の劣化は、トレードオフの関係にあるともいえる。本実施形態の符号化装置１００によれば、透かし情報の検出をより確実にする方向に重畳の態様を変更するだけでなく、音質を向上させる方向にも重畳の態様を変更することができるため、透かし情報の検出の確実さと音質の劣化のバランスが取れた最適な態様で重畳を行うことが可能となる。よって、本実施形態の符号化装置１００によれば、音質に不足があれば音質の不足を補い、検出の正確さに不足があれば検出がより容易な態様に変更する、といったように、状況に応じて適応的に重畳の態様を変更することが可能となる。
【００２２】
［第２実施形態］
図２は、本発明の第２の実施形態である符号化装置の構成を示す図である。本実施形態において、同図に示すコマンド供給部２１０、調整音発生部２２０、分析部２５０、出力部２６０、スピーカ５００及びマイクロホン６００は、第１実施形態の同一名称の構成要素と同様の機能を有する。よって、これらの構成要素については、説明を省略する。また、本実施形態と第１実施形態とで共通する事項についても、その説明を適宜省略する。
【００２３】
本実施形態の音情報は、音高（ピッチ）を指示する情報を少なくとも含む。また、音情報は、音の強さ、長さを表す情報などを含んでもよい。本実施形態の音情報としては、例えば、ＭＩＤＩ（Musical Instrument Digital Interface：登録商標）データを用いることができる。ＭＩＤＩデータを音情報として用いる場合、音高を指示する情報は、ノートナンバである。また、音情報は、ある一定の音高の音を継続的に発し続けるものであってもよいし、楽曲のように音高が時間に応じて変化するものであってもよい。音情報は、前者のようなものである場合には、符号化装置２００の外部から取得されるのではなく、内部に記憶されたデータを読み出すことによって取得されてもよい。
【００２４】
また、本実施形態の重畳方式は、複数の正弦波信号を合成することによってある音色（おんしょく）の音を表す場合において、その正弦波信号の周波数や位相を基準値からずらすことによって透かし情報を埋め込むものである。ここにおいて、基準値からの“ずれ”は、透かし情報に応じて決まる（詳細は後述）。
【００２５】
符号化装置２００は、合成音生成部２３０と、調整部２４０とを備える。また、符号化装置２００は、メモリ等の記憶手段を備え、音色データベースＤＢ１を記憶している。音色データベースＤＢ１は、音色データを記憶するものである。音色データは、音情報が表す音に音色を付与するための音色パラメータの集合である。ここでいう音色パラメータには、倍音等の周波数、振幅、位相などを含む。音色データは、例えば、「スネアドラム」や「ピアノ」のような、所定の楽器の音色を表すデータとして与えられていてもよい。この場合、音色データは、音色データベースＤＢ１に複数の音色について記憶されており、いずれの音色を用いるかが遠隔操作機器や符号化装置２００に設けられたボタンなどによって選択されるものであってもよい。
【００２６】
合成音生成部２３０は、音情報に透かし情報を重畳して出力部２６０に供給する。合成音生成部２３０が重畳する透かし情報は、調整部２４０により調整が行われた後のものである。合成音生成部２３０及び調整部２４０は、協働により本発明における決定手段を構成する。
【００２７】
図３は、合成音生成部２３０の主たる構成を示す図である。同図に示すように、合成音生成部２３０は、発振器２３１1、２３１2、２３１3、…、２３１nと、増幅器２３２1、２３２2、２３２3、…、２３２nと、加算器２３３とを備える。ここにおいて、符号の添字（１〜ｎ）は、各々を区別するために付されたものである。よって、発振器２３１1〜２３１n又は増幅器２３２1〜２３２nの各々を区別する必要がない場合には、それぞれの添字を省略して「発振器２３１」又は「増幅器２３２」と表記する。発振器２３１及び増幅器２３２の数、すなわちｎの値は、任意の自然数である。
【００２８】
発振器２３１は、指定された周波数で発振し、正弦波を表す正弦波信号を生成する。増幅器２３２は、ゲインが可変である増幅器であり、対応する発振器２３１により発振された正弦波信号のレベルを増幅させる。加算器２３３は、増幅器２３２により増幅された正弦波信号を加算し、一の波形を表す音響信号として出力する。
発振器２３１1、２３１2、２３１3、…、２３１nに指定される周波数は、互いに異なるものである。また、増幅器２３２1、２３２2、２３２3、…、２３２nのゲインは、指定された周波数毎に決められている。周波数、位相及びゲインは、調整部２４０により調整された音色パラメータに基づいて決められる。
【００２９】
調整部２４０は、透かし情報及び音色パラメータを取得し、音色パラメータを透かし情報に応じて変更する。この変更は、上述した“ずれ”に相当するものである。また、調整部２４０は、この変更に際し、取得した調整値に応じた音色パラメータの変更を併せて行う。この変更は、第１実施形態における調整に相当するものであるため、以下では「調整」ということで前者の変更と区別する。
【００３０】
本実施形態の符号化装置２００の構成は、以上のとおりである。本実施形態においても、第１実施形態と同様に、調整音を放音することによって調整値を算出する調整処理があらかじめ行われ、この調整値に応じた態様で透かし情報が重畳される。
【００３１】
図４は、本実施形態における重畳の原理を説明するための図である。いま、音情報として、ピッチ、すなわち周波数（基本周波数）がｆ0である音のデータが与えられ、音色パラメータとして、周波数ｆ1、ｆ2及びｆ3と、これに対応する振幅レベルのデータが与えられるとする。なお、周波数ｆ1、ｆ2及びｆ3の振幅レベルは、周波数ｆ0の音のレベルに基づいて相対的に決められる。このような情報が与えられた場合において、仮にこれらの周波数により合成音生成部２３０で発振、増幅及び合成を行うと、周波数ｆ0、ｆ1、ｆ2及びｆ3の各々の波形が合成された音響信号が得られる。この音響信号の周波数スペクトルは、図４（ａ）のようになる。
なお、ここにおいて、周波数ｆ1、ｆ2及びｆ3は、基音たる周波数ｆ0に対して倍音となる関係を有していると望ましいが、必ずしも倍音である必要はない。
【００３２】
このような音情報及び音色パラメータが与えられる場合において、「１０１」なる３桁のビット値の透かし情報が与えられるとする。調整部２４０は、このような透かし情報が供給された場合に、１桁目のビット値「１」を周波数ｆ1に、２桁目のビット値「０」を周波数ｆ2に、３桁目のビット値「１」を周波数ｆ3に、それぞれ割り当てる。ビット値「０」及び「１」には、それぞれ所定の周波数のシフト量が与えられており、調整部２４０は、このシフト量に応じて音色パラメータを変更する。つまり、このとき調整部２４０は、音色パラメータの周波数を透かし情報に応じたシフト量だけずらす。ここで、「０」のビット値に対応するシフト量を「Δ0」、「１」のビット値に対応するシフト量を「Δ1」とすると、この変更後の音響信号の周波数スペクトルは、図４（ｂ）のようになる。
【００３３】
なお、Δ0及びΔ1は、上述した周波数についての差分（すなわち、｜ｆ1−ｆ2｜や｜ｆ2−ｆ3｜）に比して、十分に小さいと望ましい。Δ0及びΔ1が十分に小さければ、音色が変化したことを聴感上知覚されないようにすることができるからである。ただし、Δ0及びΔ1が小さいと、透かし情報の復号が困難になるため、実際のシフト量は音色の変化と復号の成功率を考慮して適宜に定められる。
【００３４】
図４（ｂ）の周波数スペクトルは、調整値に応じた調整が行われない場合の周波数スペクトルであるといえる。すなわち、調整部２４０は、調整値に応じた調整を行う場合には、音色パラメータに更なる変更を加える。具体的には、調整部２４０は、周波数ｆ0、ｆ1、ｆ2及びｆ3の振幅レベル及び周波数のシフト量の少なくとも一方を変更する。かかる調整を行った場合の音響信号の周波数スペクトルは、例えば、図４（ｃ）のようになる。ここにおいて、シフト量に付加された「α」は、調整値に応じて決まる値である。なお、振幅レベルを大きくする調整は、特定の周波数帯域のみに行われてもよいし、放音される周波数帯域の全体に渡って行われてもよい。
【００３５】
ここで、図４（ｂ）の周波数スペクトルを標準とすると、図４（ｃ）の周波数スペクトルは、標準に対して「α」だけ周波数のシフト量が変更されたものであるといえる。この「α」の値は、その大小を調整値に応じて異ならせることができる。例えば、透かし情報の検出の確実にする場合には、「α」の値を大きくすればよく、音質の劣化を抑制する場合には、「α」の値を小さくすればよい。なお、透かし情報の十分に正確な検出が期待できる場合には、「α」の値を負の値とし、周波数のシフト量が標準よりも少なくなるようにしてもよい。
【００３６】
この例において、シフト量を調整することができるのは、シフト量自体が情報を有していない場合である。ここで図示した例においては、周波数を正方向にずらすと「１」であり、周波数を負方向にずらすと「０」であるため、シフト量の正負が有意な情報であって、シフト量の（絶対値としての）大小は情報を有していない。そのため、図４（ｃ）に示したように、シフト量を「Δ0＋α」や「Δ1＋α」に変更しても、その変更により透かし情報が失われることはない。一方、例えば、「０」のビット値に対応するシフト量と「１」のビット値に対応するシフト量とがいずれも正方向であり、その大小によって値が区別される場合には、シフト量の変更により情報が失われる可能性があるため、シフト量の調整ができない場合もある。
【００３７】
以上のようにして調整された態様で透かし情報が重畳された音情報は、スピーカ２００によって音に変換されて放音される。この音は、図示せぬ復号装置において収音され、透かし情報が復号（復調）される。復号装置は、あらかじめ決められた重畳方式に応じた方式で透かし情報を復号する。復号装置は、上述した音色パラメータに相当するデータ、すなわち基準のデータを記憶しており、収音した音の基準からのずれを特定することにより透かし情報を得ることができる。復号装置は、例えば、ＦＦＴ（高速フーリエ変換）によって音響信号を周波数成分の集合に変換することにより、基準からのずれを特定することができる。なお、音色が複数ある候補から選択される場合には、復号装置は、外部からデータとして得るなどして、符号化装置２００において選択された音色を認識する手段を備える。
【００３８】
以上のとおり、本実施形態においても、重畳や調整の態様は異なるものの、第１実施形態と同様の効果を奏することが可能である。
【００３９】
［変形例］
本発明は、上述した実施形態と異なる形態での実施が可能である。以下に示す変形例は、本発明に適用可能な変形の一例である。なお、これらの変形例は、必要に応じて、各々を組み合わせて実施されてもよい。
【００４０】
（１）変形例１
本発明に係る符号化装置は、調整音を放音し、その収音結果を取得する構成に代えて、透かし情報が重畳された音の収音結果たる音情報や、収音した音を復号した復号結果を取得する構成を備えてもよい。これらの情報も、放音された音の特性を示すものであり、本発明における特性情報の一例に相当するものである。
【００４１】
図５は、本例に係る情報通信システムの構成を示す図である。この情報通信システム１０は、符号化装置３００と、スピーカ５００と、マイクロホン６００と、復号装置７００とを備える。符号化装置３００及びスピーカ５００は、これらが協働して透かし情報の送信機を構成し、マイクロホン６００及び復号装置７００は、これらが協働して透かし情報の受信機を構成する。符号化装置３００は、第１実施形態の符号化装置１００からコマンド供給部１１０及び調整音発生部１２０を除いた構成であるが、分析部１４０の機能が第１実施形態のそれと相違する。符号化装置３００は、所定の透かし情報を音情報に重畳し、スピーカ５００に放音させる。復号装置７００は、マイクロホン６００から音情報を取得し、あらかじめ決められた重畳方式に従って透かし情報を復号する。すなわち、復号装置７００は、本発明における復号手段の一例である。また、復号装置７００は、透かし情報の復号結果を表す情報である結果データを、符号化装置３００の分析部１４０に供給する。結果データは、復号結果をそのまま表した情報であってもよいし、復号が成功した箇所と失敗した箇所を表す情報であってもよい。あるいは、結果データは、復号の成功率やエラーの発生率を表す情報であってもよい。
【００４２】
分析部１４０は、結果データに基づいて調整値を算出する。分析部１４０は、符号化装置３００が出力した所定の透かし情報（元の情報）と、その伝達結果である結果データとを比較する手段を備え、透かし情報がどの程度正しく伝達されたかを分析する構成であってもよい。分析部１４０は、透かし情報が正しく伝達されていない場合には、伝達をより確実にするような調整値を算出する。
【００４３】
図６は、本例に係る情報通信システムの他の構成を示す図である。図５に示した情報通信システム１０は、第１実施形態を変形したものであるが、情報通信システム２０は、第２実施形態を変形したものである。情報通信システム２０は、符号化装置４００と、スピーカ５００と、マイクロホン６００と、復号装置７００とを備える。符号化装置４００は、第２実施形態の符号化装置２００からコマンド供給部２１０及び調整音発生部２２０を除いた構成であるが、分析部２５０の機能が第２実施形態のそれと相違する。符号化装置４００は、図５の符号化装置３００の特徴的な機能を第２実施形態の符号化装置２００に適用したものである。
【００４４】
本例の構成によれば、調整音を放音することなく透かし情報が重畳された音情報を出力することができる。換言すれば、本例の構成によれば、透かし情報が重畳された音情報の出力が、調整音情報の出力に阻害されない。したがって、本例の構成によれば、音情報を出力し続けている間においても、適宜、必要に応じて調整を行うことができる。
【００４５】
（２）変形例２
本発明における調整は、ある決められた重畳方式において重畳の態様を変更するものに限らず、複数の重畳方式の中から最適な方式を選択することにより重畳の態様を変更するものであってもよい。例えば、ある重畳方式が標準の方式として用いられる場合において、スピーカから放音される音以外の音（雑音）が多くなったときには、当該標準の方式よりも雑音に強い（雑音の影響を受けにくい）重畳方式が選択される一方、雑音が少なくなったときには、より音質が良い（音質の劣化が少ない）重畳方式が選択される、といった具合である。
【００４６】
（３）変形例３
本発明における音情報は、電子的なサイレンやベルのような、時間的な変化が規則的である音を表す場合には、時間に関連するパラメータを音色パラメータとして用いてもよい。かかるパラメータは、例えば、アタック（音を発音してから最大レベルに達するまでの時間）、ディケイ（音量が最大レベルからサステインレベルに変化するまでの時間）、ホールド（一定レベルの音量を維持する時間）、リリース（音量が減衰してから０になるまでの時間）である。かかるパラメータを用いて変調を行った場合、情報に応じていわゆるエンベロープが変化する。
【図面の簡単な説明】
【００４７】
【図１】第１実施形態の符号化装置の構成を示す図
【図２】第２実施形態の符号化装置の構成を示す図
【図３】合成音生成部の構成を示す図
【図４】第２実施形態における重畳の原理を説明するための図
【図５】第１実施形態の変形例である情報通信システムの構成を示す図
【図６】第２実施形態の変形例である情報通信システムの構成を示す図
【符号の説明】
【００４８】
１００、２００、３００、４００…符号化装置、１１０、２１０…コマンド供給部、１２０、２２０…調整音発生部、１３０、２４０…調整部、１４０、２５０…分析部、１５０、２６０…出力部、２３０…合成音生成部、５００…スピーカ、６００…マイクロホン、７００…復号装置
【図１】
2010085737.tif 000003
【図２】
2010085737.tif 000004
【図３】
2010085737.tif 000005
【図４】
2010085737.tif 000006
【図５】
2010085737.tif 000007
【図６】
2010085737.tif 000008